(57)【要約】【課題】視聴者が番組を途中から選局した場合に、その直前までの番組進行状況を画面に表示することで、詳細かつ速やかに番組進行状況を把握できるようにするための字幕情報の送受信を可能とするデジタル放送送受信方法と装置及び進行状況字幕送信装置と進行状況画面送信装置並びにコンピュータ・ソフトウエアを提供する。【解決手段】番組の映像や音声、番組情報１０１などを圧縮多重１０６して送信するデジタル放送送信方法において、字幕情報のデータ部２０５及びヘッダ部２０４の識別情報２０６に、放送時までの番組の進行状況を記述する進行状況字幕データ及びその識別値をそれぞれ追加し、進行状況字幕の字幕情報を番組の映像や音声、番組情報などと共に圧縮多重して送信する。【選択図】        図１
2004207831.tif 000002
【特許請求の範囲】
【請求項１】
番組の映像や音声、番組情報などを圧縮多重して送信するデジタル放送送信方法において、
字幕情報のデータ部及びヘッダ部の識別情報に、放送時までの番組の進行状況を記述する進行状況字幕データ及びその識別値をそれぞれ追加し、前記進行状況字幕の字幕情報を番組の映像や音声、番組情報などと共に圧縮多重して送信することを特徴とするデジタル放送送信方法。
【請求項２】
請求項１に記載のデジタル放送送信方法により送信された圧縮多重データを受信し、番組の映像や音声、番組情報などを分離復号するデジタル放送受信方法において、
受信した圧縮多重データから字幕情報を分離し、分離された字幕情報の識別情報を参照してその識別値が進行状況字幕を示す字幕情報を用いて番組の進行状況の字幕を表示することを特徴とするデジタル放送受信方法。
【請求項３】
請求項１に記載のデジタル放送送信方法により圧縮多重データを送信するデジタル放送送信装置において、
放送中の番組素材を用いて、放送時までの番組の進行状況を随時更新しながら字幕データ化して進行状況字幕情報を生成する進行状況字幕生成手段と、圧縮された映像や音声、番組情報などと共に生成された字幕情報を多重する信号多重手段とを備えることを特徴とするデジタル放送送信装置。
【請求項４】
デジタル放送送信装置から放送と同時期に提供される番組素材を用いて、番組の進行状況を随時更新しながら字幕データ化して進行状況字幕情報を生成する進行状況字幕生成手段と、デジタル放送受信装置から要求された放送時までの進行状況字幕情報を、伝送経路を経由して送信する送信手段とを備えることを特徴とする進行状況字幕送信装置。
【請求項５】
デジタル放送送信装置から放送と同時期に提供される番組素材を用いて、番組の進行状況を随時更新しながら進行状況画面を直接生成する進行状況画面生成手段と、デジタル放送受信装置から要求された放送時までの進行状況画面データを、伝送経路を経由して送信する送信手段を備えることを特徴とする進行状況画面送信装置。
【請求項６】
請求項３に記載のデジタル放送送信装置から送信された圧縮多重データを受信し、番組の映像や音声、番組情報などを分離復号するデジタル放送受信装置において、
受信した圧縮多重データから字幕情報を分離する分離手段と、分離された字幕情報を解析する字幕解析手段と、該字幕解析手段を制御する字幕制御手段と、映像と前記字幕解析手段において解析された字幕を合成する合成手段とを備え、番組の選局時に前記字幕制御手段が前記字幕解析手段から取得した識別情報の識別値が進行状況字幕を示す字幕情報について、初めて字幕を表示する機能を有することを特徴とするデジタル放送受信装置。
【請求項７】
デジタル放送送信装置から送信された圧縮多重データを受信し、番組の映像や音声、番組情報などを分離復号するデジタル放送受信装置において、
受信した圧縮多重データから字幕情報を分離する分離手段と、分離された前記字幕情報を解析する字幕解析手段と、前記字幕解析手段を制御する字幕制御手段と、映像と前記字幕解析手段において解析された字幕を合成する合成手段とを備え、番組の選局時に、前記字幕制御手段が請求項４に記載の進行状況字幕送信装置に対し番組進行状況字幕情報の送信を要求して送信された進行状況字幕情報を再度前記圧縮多重データと多重した後、前記字幕制御手段が前記字幕解析手段から取得した識別情報の識別値が進行状況字幕を示す字幕について、初めて前記字幕を表示する機能とを有することを特徴とするデジタル放送受信装置。
【請求項８】
デジタル放送送信装置から送信された圧縮多重データを受信し、番組の映像や音声、番組情報などを分離復号するデジタル放送受信装置において、
映像と進行状況画面を合成する合成手段を備え、番組の選局時に、請求項５に記載の進行状況画面送信装置に対し進行状況画面データの送信を要求して送信された進行状況画面を表示する機能を有することを特徴とするデジタル放送受信装置。
【請求項９】
請求項１に記載のデジタル放送送信方法により圧縮多重データを送信するデジタル放送送信装置に使用されるコンピュータ・ソフトウエアであって、
放送中の番組素材を用いて、放送時までの番組の進行状況を随時更新しながら字幕データ化して進行状況字幕情報を生成する進行状況字幕生成機能と、圧縮された映像や音声、番組情報などと共に生成された字幕情報を多重する信号多重機能とをコンピュータに実現させるプログラムからなるコンピュータ・ソフトウエア。
【発明の詳細な説明】
【０００１】
【発明の属する技術分野】
本発明は、デジタル放送送受信方法と装置及び進行状況字幕送信装置と進行状況画面送信装置並びにコンピュータ・ソフトウエアであり、番組の映像や音声と同期表示される字幕放送の送受信方式及びデジタル放送送受信装置、特に字幕を用いた番組進行状況情報の送受信方式及びデジタル放送送受信装置に関する。
【０００２】
【従来の技術】
現在のテレビジョン放送では、聴覚障害者や高齢者のために、出演者の台詞などを文字情報として映像や音声と同期表示する字幕放送が行われている。字幕放送は、ＢＳ／ＣＳデジタル放送に代表されるデジタル放送においても行われている。図２はデジタル放送における字幕放送のデジタルストリームを示している。図２のように字幕放送では、１本のデジタルストリームに映像信号や音声信号、字幕情報などが時間軸多重されている。図２において、２０１は圧縮された映像信号をパケット化した映像パケット、２０２は圧縮された音声信号をパケット化した音声パケット、２０３は字幕情報をパケット化した字幕パケットである。前記字幕パケット２０３はヘッダ部２０４とデータ部２０５に分けることができる。前記ヘッダ部２０４には、前記データ部２０５の内容を示す識別情報２０６が含まれており、前記データ部には通常の字幕データ（以下、「通常字幕データ」という。）の他に、ビットマップデータや付加音声データ、外字データなどの様々なデータが記述されている。
【０００３】
字幕放送において字幕を表示する方法を以下に述べる。図３は、デジタル放送における字幕放送送受信装置の構成を示したブロック図である。図３において、１００は送信装置全体、１０１は字幕番組の素材となる番組素材、１０２は前記番組素材１０１から得られた音声を圧縮、符号化し音声信号として出力する音声符号化部、１０３は前記番組素材１０１から得られた映像を圧縮、符号化し映像信号として出力する映像符号化部、１０４は前記番組素材１０１から得られた出演者の台詞などを字幕データ化し字幕情報として出力する字幕生成部、１０６は前記音声符号化部１０２、前記映像符号化部１０３及び前記字幕生成部１０４から出力された音声信号、映像信号及び字幕情報を時間軸多重する信号多重部、１０７は前記信号多重部１０７から出力された多重信号を変調しデジタル放送信号として出力する変調部、１０８はデジタル放送信号出力端子である。出力されたデジタル放送信号は、放送衛星やケーブル、インターネットなどの無線、有線伝送路を介して受信側へ送信される。１５０は受信装置全体、１５１はデジタル放送信号入力端子、１５２は選局と復調その他を行うチューナ復調部、１５３は前記チューナ復調部１５２で選局されたデジタル信号から、符号化された音声信号、映像信号及び字幕情報を分離する多重信号分離部、１５４は前記多重信号分離部１５３で分離された音声信号を元の音声信号に復号する音声復号部、１５５は音声信号の出力端子、１５６は前記多重信号分離部１５３で分離された映像信号を元の映像信号に復号する映像復号部、１５７は前記多重信号分離部１５３で分離された字幕情報を解析する字幕解析部、１５９は前記映像復号部１５６で復号された映像と前記字幕解析部１５７で解析された字幕を合成するＯＳＤ（オンスクリーンディスプレイ）処理部、１６０は前記ＯＳＤ処理部１５９から出力された字幕合成済み映像信号の出力端子である。
【０００４】
送信側において番組素材から生成された字幕情報は、映像信号や音声信号と同期多重され送信される。受信側において再び字幕情報として分離された後、字幕解析部１５７において字幕データを解析する。その結果得られた字幕をＯＳＤとして映像と合成し表示する。デジタル放送では、上記の手順を経ることで字幕放送が実現される。
【０００５】
ところで、視聴者がある番組を途中から選局した場合は、それを選局する直前までの番組の進行状況（例えば、それがドラマ番組である場合は現在までの粗筋であり、スポーツ番組である場合は現在までの試合の途中経過など）を直ちに把握することは困難である。新聞のテレビ欄や、映像や音声と共に多重送信される番組情報を利用した番組解説を画面上で確認するなどして、ある程度の番組進行状況を把握することはできるが、詳細ではなくまた即時性に欠ける。
【０００６】
従来の番組進行状況の把握方法としては、番組の各映像シーンから何らかの方法で生成した説明文の前後のつながりや関連性から、視聴者にとって違和感のないスムーズな文章の流れの説明文を生成するものがある（例えば、特許文献１参照）。また、放送番組を複数のシーンに分割し、シーンごとのダイジェストを受信装置に送信することで、番組の進行に合わせてダイジェストを得るものがある（例えば、特許文献２参照）。しかしながらこの方法では、説明文の生成に用いる各映像シーンやその内容を説明する断片的な文字列を取得するために予め番組を記録しておいたり、または番組開始時からひたすら視聴し続けるといった必要があり、次々にチャンネルを切り替えて今から見る番組を探すといったような場合には、その番組の説明文を得ることができない。
【０００７】
【特許文献１】
特開２００１−２７５０５８号公報
【特許文献２】
特開２００１―４４９４８号公報
【０００８】
【発明が解決しようとする課題】
本発明は、上記の点に鑑みて成されたものであり、視聴者が番組を途中から選局した場合に、その直前までの番組進行状況を画面に表示することで、詳細かつ速やかに番組進行状況を把握できるようにするための字幕情報の送受信を可能とするデジタル放送送受信方法と装置及び進行状況字幕送信装置と進行状況画面送信装置並びにコンピュータ・ソフトウエアを提供することを目的とする。
【０００９】
【課題を解決するための手段】
上記課題は、送信側においては、番組素材から得られた音声及び映像を圧縮、符号化し音声信号及び映像信号として出力する音声符号化手段及び映像符号化手段と、同じく番組素材から得られた出演者の台詞などを字幕データ化し字幕情報として出力する通常字幕生成手段と、同じく番組素材から得られた番組の進行状況を随時更新しながら字幕データ化し字幕情報として出力する進行状況字幕生成手段と、前記通常字幕生成手段及び前記進行状況字幕生成手段から出力された通常字幕情報及び進行状況字幕情報を音声信号及び映像信号と共に時間軸多重する信号多重手段と、前記信号多重手段から出力された多重信号を変調しデジタル放送信号として出力する変調手段と、受信側においては、デジタル放送信号を受信し選局と復調その他を行うチューナ復調手段と、前記チューナ復調手段で選局されたデジタル信号から、符号化された音声信号及び映像信号、字幕情報を分離する多重信号分離手段と、前記多重信号分離手段で分離された音声信号及び映像信号を、それぞれ元の音声信号及び映像信号に復号する音声復号手段及び映像復号手段と、前記多重信号分離手段で分離された字幕情報を解析する字幕解析手段と、前記字幕解析手段から取得した字幕の識別情報を元に、その字幕の表示可否を制御する字幕制御手段と、前記映像復号手段で復号された映像と前記字幕解析手段で解析された字幕を合成するＯＳＤ処理手段を設けることによって解決することが可能である。
【００１０】
すなわち、本発明は、番組の映像や音声、番組情報などを圧縮多重して送信するデジタル放送送信方法において、字幕情報のデータ部及びヘッダ部の識別情報に、放送時までの番組の進行状況を記述する進行状況字幕データ及びその識別値をそれぞれ追加し、前記進行状況字幕の字幕情報を番組の映像や音声、番組情報などと共に圧縮多重して送信するデジタル放送送信方法である。
【００１１】
また、本発明は、上記のデジタル放送送信方法により送信された圧縮多重データを受信し、番組の映像や音声、番組情報などを分離復号するデジタル放送受信方法において、受信した圧縮多重データから字幕情報を分離し、分離された字幕情報の識別情報を参照してその識別値が進行状況字幕を示す字幕情報を用いて番組の進行状況の字幕を表示するデジタル放送受信方法である。
【００１２】
そして、本発明は、上記のデジタル放送送信方法により圧縮多重データを送信するデジタル放送送信装置において、放送中の番組素材を用いて、放送時までの番組の進行状況を随時更新しながら字幕データ化して進行状況字幕情報を生成する進行状況字幕生成手段と、圧縮された映像や音声、番組情報などと共に生成された字幕情報を多重する信号多重手段とを備えるデジタル放送送信装置である。
【００１３】
更に、本発明は、デジタル放送送信装置から放送と同時期に提供される番組素材を用いて、番組の進行状況を随時更新しながら字幕データ化して進行状況字幕情報を生成する進行状況字幕生成手段と、デジタル放送受信装置から要求された放送時までの進行状況字幕情報を、伝送経路を経由して送信する送信手段とを備える進行状況字幕送信装置である。
【００１４】
また、本発明は、デジタル放送送信装置から放送と同時期に提供される番組素材を用いて、番組の進行状況を随時更新しながら進行状況画面を直接生成する進行状況画面生成手段と、デジタル放送受信装置から要求された放送時までの進行状況画面データを、伝送経路を経由して送信する送信手段を備える進行状況画面送信装置である。
【００１５】
そして、本発明は、上記のデジタル放送送信装置から送信された圧縮多重データを受信し、番組の映像や音声、番組情報などを分離復号するデジタル放送受信装置において、受信した圧縮多重データから字幕情報を分離する分離手段と、分離された字幕情報を解析する字幕解析手段と、該字幕解析手段を制御する字幕制御手段と、映像と前記字幕解析手段において解析された字幕を合成する合成手段とを備え、番組の選局時に前記字幕制御手段が前記字幕解析手段から取得した識別情報の識別値が進行状況字幕を示す字幕情報について、初めて字幕を表示する機能を有するデジタル放送受信装置である。
【００１６】
更に、本発明は、デジタル放送送信装置から送信された圧縮多重データを受信し、番組の映像や音声、番組情報などを分離復号するデジタル放送受信装置において、受信した圧縮多重データから字幕情報を分離する分離手段と、分離された前記字幕情報を解析する字幕解析手段と、前記字幕解析手段を制御する字幕制御手段と、映像と前記字幕解析手段において解析された字幕を合成する合成手段とを備え、番組の選局時に、前記字幕制御手段が上記の進行状況字幕送信装置に対し番組進行状況字幕情報の送信を要求して送信された進行状況字幕情報を再度前記圧縮多重データと多重した後、前記字幕制御手段が前記字幕解析手段から取得した識別情報の識別値が進行状況字幕を示す字幕について、初めて前記字幕を表示する機能とを有するデジタル放送受信装置である。
【００１７】
また、本発明は、デジタル放送送信装置から送信された圧縮多重データを受信し、番組の映像や音声、番組情報などを分離復号するデジタル放送受信装置において、映像と進行状況画面を合成する合成手段を備え、番組の選局時に、上記の進行状況画面送信装置に対し進行状況画面データの送信を要求して送信された進行状況画面を表示する機能を有するデジタル放送受信装置である。
【００１８】
そして、本発明は、上記のデジタル放送送信方法により圧縮多重データを送信するデジタル放送送信装置に使用されるコンピュータ・ソフトウエアであって、放送中の番組素材を用いて、放送時までの番組の進行状況を随時更新しながら字幕データ化して進行状況字幕情報を生成する進行状況字幕生成機能と、圧縮された映像や音声、番組情報などと共に生成された字幕情報を多重する信号多重機能とをコンピュータに実現させるプログラムからなるコンピュータ・ソフトウエアである。
【００１９】
【発明の実施の形態】
本発明の実施の形態を説明する。
本発明のデジタル放送送受信方法と装置及び進行状況字幕送信装置と進行状況画面送信装置の実施例について、図面を用いて説明する。
【００２０】
実施例１を説明する。図１において、１００は送信装置全体、１０１は字幕番組の素材となる番組素材、１０２は前記番組素材１０１から得られた音声を圧縮、符号化し音声信号として出力する音声符号化部、１０３は前記番組素材１０１から得られた映像を圧縮、符号化し映像信号として出力する映像符号化部、１０４は前記番組素材１０１から得られた出演者の台詞などを字幕データ化し字幕情報として出力する字幕生成部、１０５は前記番組素材１０１から得られた番組の進行状況を随時更新しながら字幕データ化し字幕情報として出力する進行状況字幕生成部、１０６は前記音声符号化部１０２及び前記映像符号化部１０３、前記字幕生成部１０４、前記進行状況字幕生成部１０５からそれぞれ出力された音声信号及び映像信号、通常字幕情報、進行状況字幕情報を時間軸多重する信号多重部、１０７は前記信号多重部１０７から出力された多重信号を変調しデジタル放送信号として出力する変調部、１０８はデジタル放送信号出力端子である。出力されたデジタル放送信号は、放送衛星やケーブル、インターネットなどの無線、有線伝送路を介して受信側へ送信される。１５０は受信装置全体、１５１はデジタル放送信号入力端子、１５２は選局と復調その他を行うチューナ復調部、１５３は前記チューナ復調部１５２で選局されたデジタル信号から、符号化された音声信号及び映像信号、字幕情報を分離する多重信号分離部、１５４は前記多重信号分離部１５３で分離された音声信号を元の音声信号に復号する音声復号部、１５５は音声信号の出力端子、１５６は前記多重信号分離部１５３で分離された映像信号を元の映像信号に復号する映像復号部、１５７は前記多重信号分離部１５３で分離された字幕情報を解析する字幕解析部、１５８は前記字幕解析部１５７から取得した前記字幕の識別情報２０６を元に、その字幕の表示可否を制御する字幕制御部、１５９は前記映像復号部１５６で復号された映像と前記字幕解析部１５７で解析された字幕を合成するＯＳＤ（オンスクリーンディスプレイ）処理部、１６０は前記ＯＳＤ処理部１５９から出力された字幕合成済み映像信号の出力端子、１６１は進行状況字幕の表示可否を前記字幕制御部１５８に対して設定する字幕表示設定端子である。
【００２１】
前述したように、前記字幕パケット２０３の前記データ部２０５には通常字幕データの他に、ビットマップデータや付加音声データ、外字データなどの様々なデータが記述されている。本実施例では、このデータの中に新しいデータ型である「進行状況字幕データ」を追加する。この進行状況字幕データは、データ構造自体は通常字幕データと同様であるが、記述される字幕文の内容が異なる。通常字幕データの字幕文には出演者の台詞など現在の番組の場面状況を表す字幕が時々刻々と更新され記述されているが、進行状況字幕データの字幕文には現在までの番組の進行状況を表す字幕（例えば、それがドラマ番組である場合は現在までの粗筋であり、スポーツ番組である場合は現在までの試合の途中経過など）が随時更新され記述されている。
【００２２】
この進行状況字幕データをパケット化し多重した字幕放送のデジタルストリームの一例を図４に示す。図に示すように、映像パケット２０１や音声パケット２０２、通常字幕パケット２０３に加えて、進行状況字幕パケット４０１が多重されている。
【００２３】
上記のように、進行状況字幕データを通常字幕データと共に多重送信し、受信側でその番組を選局した時に最初に進行状況字幕を表示すれば、その番組を途中から選局したとしても、その直前までの番組進行状況を詳細かつ速やかに把握することができる。
【００２４】
その過程を図５のフローチャートを用いて説明する。図５は、受信側で番組を選局した時に最初に進行状況字幕を表示し、それ以降は通常字幕を表示するまでの過程を示すフローチャートである。最初に番組を選局すると、前記字幕解析部１５７は前記多重信号分離部１５３で分離された字幕情報を取得する（Ｓ１）。前記字幕解析部１５７は前記字幕パケット２０３の前記ヘッダ部２０４から前記字幕の識別情報２０６を取り出し、前記字幕制御部１５８に送信する。前記字幕制御部１５８は前記字幕の識別情報２０６から、この字幕情報が進行状況字幕であるか否かを判断する（Ｓ２）。
【００２５】
前記字幕情報が進行状況字幕であり（Ｓ２のＹｅｓ）、この段階で未だ進行状況字幕を取得していないならば（Ｓ３のＮｏ）、初回のみ進行状況字幕を表示するために前記字幕制御部１５８は前記字幕解析部１５７に対しこの字幕情報（進行状況字幕）を解析するよう指示を出す（Ｓ４）。前記字幕解析部１５７はこの進行状況字幕情報を解析し、解析された進行状況字幕は前記ＯＳＤ処理部１５９において映像と合成され表示される（Ｓ７）。前記字幕情報が進行状況字幕であり（Ｓ２のＹｅｓ）、この段階で既に進行状況字幕を取得しているならば（Ｓ３のＹｅｓ）、この進行状況字幕を表示する必要はないため、次の字幕情報の取得を待つ。
【００２６】
前記字幕情報が進行状況字幕でなく（すなわち通常字幕である）（Ｓ２のＮｏ）、この段階で既に進行状況字幕を取得しているならば（Ｓ５のＹｅｓ）、通常字幕を表示するために前記字幕制御部１５８は前記字幕解析部１５７に対しこの字幕情報（通常字幕）を解析するよう指示を出す（Ｓ６）。前記字幕解析部１５７はこの通常字幕情報を解析し、解析された通常字幕は前記ＯＳＤ処理部１５９において映像と合成され表示される（Ｓ７）。前記字幕情報が進行状況字幕でなく（すなわち通常字幕である）（Ｓ２のＮｏ）、この段階で未だ進行状況字幕を取得していないならば（Ｓ５のＮｏ）、進行状況字幕を表示するまでは何も字幕を表示しないようにするため、次の字幕情報を待つ。
【００２７】
図６に進行状況字幕の表示の一例を示す。図６はドラマ番組を途中から選局した状態であり、図に示すように最初に進行状況字幕（ここまでのあらすじ）が表示された後、これ以降は通常字幕が表示され、従来の字幕表示動作と同様となる。もちろんこのとき送信側で進行状況字幕のみを多重送信し、受信側で進行状況字幕を受信、表示した後は字幕なしの番組提示としてもよい。
【００２８】
なお、前記字幕表示設定端子１６１を用いれば、前記字幕制御部１５８に対し進行状況字幕が更新される度にその都度それを表示するよう設定することもできる。
【００２９】
本実施例によれば、進行状況字幕データを通常字幕データと共に多重送信し、受信側でその番組を選局した時に最初に進行状況字幕を表示すれば、その番組を途中から選局したとしても、その直前までの番組進行状況を詳細かつ速やかに把握することができる。
【００３０】
実施例２について、図７を用いて説明する。図７において、送信側の構成は図３と同様であり、受信側の構成は図１と同様である。すなわち本実施例は、図３の送信側の構成を用いて実施例１と同等の効果を得るための方法を示している。
【００３１】
図７において、進行状況字幕生成部１０５は送信装置の外部にあり、送信側から放送と同時期に提供される前記番組素材１０１を用いて、現在までの番組の進行状況を随時更新しながら字幕データ化し字幕情報として出力する。７０１は受信側からの要求に応じて前記進行状況字幕情報を送信する進行状況字幕送信装置、７０２は出力された字幕情報を受信側へ送信する際に経由するネットワークである。
【００３２】
最初に番組を選局すると、前記字幕制御部１５８は前記ネットワーク７０２を経由し、選局した番組の進行状況字幕情報を送信するよう前記進行状況字幕送信装置７０１に対し要求する。要求を受けた前記進行状況字幕送信装置７０１は前記ネットワーク７０２を経由し、進行状況字幕情報を受信側に対し送信する。送信された進行状況字幕情報は送信側から送信されるデジタルストリームと再度多重されて、図４に示すような進行状況字幕情報を含むデジタルストリームとなる。
【００３３】
これ以降にこのデジタルストリームから進行状況字幕を取得し表示する過程については、実施例１における図５のフローチャートによる過程と同様である。
【００３４】
前記字幕パケット２０３の前記データ部２０５に「進行状況字幕データ」のような新しいデータ型を追加する場合、まずは送信側でこの追加に対応しなければならず、またこれに対応していない受信側の動作も問題となる。しかしながら本実施例のように、送信側の構成を従来のままとし、その外部から他の伝送経路を用いて進行状況字幕情報を送信すれば、上記の問題は解決することができる。
【００３５】
本実施例によれば、送信側の構成は通常のままで、送信側から放送と同時期に提供される番組素材から進行状況字幕を生成し送信する進行状況字幕送信装置と、進行状況字幕情報を受信側に送信するためのネットワークを全体構成に加えることによって、第一の実施例と同等の効果を得ることができる。
【００３６】
実施例３について、図８を用いて説明する。本実施例は、字幕を用いて番組の進行状況画面を表示する実施例１、２とは異なり、番組素材を元に番組の進行状況画面を直接生成して、その画面データを送信し表示するための方法を示している。
【００３７】
図８において、８０１は送信側から放送と同時期に提供される番組素材１０１を用いて、現在までの番組の進行状況を随時更新しながら進行状況画面を直接生成する進行状況画面生成部、８０２は受信側からの要求に応じて前記進行状況画面データを送信する進行状況画面送信装置、８０３は前記進行状況画面送信装置８０２に対し進行状況画面データの送信要求、及び前記進行状況画面送信装置８０２から受信した進行状況画面の表示可否を制御する進行状況画面制御部、８０４は前記進行状況画面制御部８０３に対し進行状況画面の表示可否を設定する画面表示設定端子である。
【００３８】
最初に番組を選局すると、前記進行状況画面制御部８０３は前記ネットワーク７０２を経由し、その番組の進行状況画面データを送信するよう前記進行状況画面送信装置８０２に対し要求する。要求を受けた前記進行状況画面送信装置８０２は前記ネットワーク７０２を経由し、進行状況画面データを受信側に対し送信する。送信された進行状況画面データは前記進行状況画面制御部８０３で受信される。進行状況画面データを受信した前記進行状況画面制御部８０３は、ＯＳＤ処理部１５９に対し進行状況画面データを送信する。前記ＯＳＤ処理部１５９は通常字幕などの他のＯＳＤ表示を抑制し、進行状況画面をＯＳＤとして映像と合成し表示する。
【００３９】
実施例１、２では字幕の機能を用いて番組の進行状況を画面表示するため、字幕の機能以上の表示を行うことはできないが、実施例３では番組の進行状況を表す画面データを直接生成し表示するため、実施例１、２よりも多彩な進行状況画面を表示することができる。例えば、それがドラマ番組である場合は出演者の顔写真などを含む粗筋画面であり、スポーツ番組である場合はスコア表や各種グラフなどを含む試合の途中経過画面を表示することができる。
【００４０】
なお、前記画面表示設定端子８０４を用いれば、前記進行状況画面制御部８０３に対し進行状況画面が更新される度にその都度それを表示するよう設定することもできる。
【００４１】
本実施例によれば、送信側の構成は通常のままで、その外部に設けられ番組素材から進行状況画面を直接生成する進行状況画面生成部と、進行状況画面データを受信側に送信するためのネットワークと、進行状況画面データを受信しその表示可否を制御する進行状況画面制御部を全体構成に加えることによって、字幕の機能を用いる実施例１、２よりも多彩な進行状況画面を表示することができる。
【００４２】
以上説明したように、本発明によれば、視聴者が番組を途中から選局した場合に、その直前までの番組進行状況を画面に表示することで、詳細かつ速やかに番組進行状況を把握できる。
【００４３】
なお、上記実施例では、デジタル放送送信装置を説明したが、放送中の番組素材を用いて、放送時までの番組の進行状況を随時更新しながら字幕データ化して進行状況字幕情報を生成する進行状況字幕生成機能と、圧縮された映像や音声、番組情報などと共に生成された字幕情報を多重する信号多重機能とをコンピュータに実現させるプログラムからなるコンピュータ・ソフトウエアを使用することにより、従来のデジタル放送送信装置を本発明のデジタル放送送信装置とすることができる。デジタル放送受信装置、進行状況字幕送信装置及び進行状況画面送信装置も同様である。
【００４４】
【発明の効果】
本発明によれば、視聴者が番組を途中から選局した場合に、その直前までの番組進行状況を画面に表示することで、詳細かつ速やかに番組進行状況を把握できるようにするための字幕情報の送受信を可能とするデジタル放送送受信方法と装置及び進行状況字幕送信装置と進行状況画面送信装置を得ることができる。
【図面の簡単な説明】
【図１】実施例１デジタル放送送受信装置の構成を示すブロック図。
【図２】デジタル放送における字幕放送のデジタルストリームの説明図。
【図３】デジタル放送における字幕放送送受信装置の構成を示すブロック図。
【図４】進行状況字幕パケットを多重したデジタル放送における字幕放送のデジタルストリームの一例の説明図。
【図５】受信側で番組を選局した時に最初に進行状況字幕を表示し、それ以降は通常字幕を表示するまでの過程を示すフローチャートの一例の説明図。
【図６】進行状況字幕の表示例の説明図。
【図７】実施例２のデジタル放送送受信装置の構成を示すブロック図。
【図８】実施例３のデジタル放送送受信装置の構成を示すブロック図。
【符号の説明】
１００  送信装置全体
１０１  番組素材
１０２  音声符号化部
１０３  映像符号化部
１０４  通常字幕生成部
１０５  進行状況字幕生成部
１０６  信号多重部
１０７  変調部
１０８  デジタル放送信号出力端子
１５０  受信装置全体
１５１  デジタル放送信号入力端子
１５２  チューナ復調部
１５３  多重信号分離部
１５４  音声復号部
１５５  音声信号の出力端子
１５６  映像復号部
１５７  字幕解析部
１５８  字幕制御部
１５９  ＯＳＤ処理部
１６０  映像信号の出力端子
１６１  字幕表示設定端子
２０１  映像パケット
２０２  音声パケット
２０３  字幕パケット
２０４  ヘッダ部
２０５  データ部
２０６  字幕の識別情報
４０１  進行状況字幕パケット
７０１  進行状況字幕送信装置
７０２  ネットワーク
８０１  進行状況画面生成部
８０２  進行状況画面送信装置
８０３  進行状況画面制御部
８０４  画面表示設定端子
【図１】
2004207831.tif 000003
【図２】
2004207831.tif 000004
【図３】
2004207831.tif 000005
【図４】
2004207831.tif 000006
【図５】
2004207831.tif 000007
【図６】
2004207831.tif 000008
【図７】
2004207831.tif 000009
【図８】
2004207831.tif 000010